Podtech/llm-jp-corpus-v4-ja_patent huggingface dataset:
(57)【要約】      （修正有）【課題】ゴミ収去を電気掃除機感覚で家庭用から業務用まで幅広くおこなえる一体式ゴミ取り掃除機を提供する。【解決手段】ゴミの除去と収納する各カ−トリッジ２、３の取替え交換とキャタビラー５付下部走行ローラー機具４、１０、１１をパッケージ化することにより、同時に且つ簡単に取替え交換可能とし、これらを本体シエル１の中に一体化したゴミ収去掃除機である。該ゴミ収去掃除機の動作の原動力は、人力、電力（家庭用電力、電池、バッテリー、太陽光発電）等であり、伝達手段に歯車１２、１３、ベルト１４、クランク等を使用して、前進、後退、回転、往復、低高速運動の切替え動作が出来る構造とした。【選択図】図１
2013094650.tif 000002
【特許請求の範囲】
【請求項１】
（イ）ゴミの除去と収納する各カ−トリッジとキャタビラー付下部掃除走行ローラー機具を本体シエルの中に一体化した収去掃除機とする。
（ロ）ゴミ収去掃除機の動作の原動力は、人力、電力（家庭用電力、電池、バッテリー、太陽光発電）等を採用し、伝達手段として歯車、ベルト、クランク、シヤフト等を使用併用しそれにより前進、後退、回転、往復、低高速運動の切り替え動作及び停止が出来る構造とする。
（ハ）ゴミを除去するカ−トリッジは、清掃面の仕上げ種類（絨毯、畳、板張り、ＣＦ材）によって取替え交換出来るようにし、これと一体化収納するカ−トリッジも同時交換を出来る方式とし、又これらを含めキャタビラー付掃除走行ロ−ラ−も一体のパッケージされた機具として、本体シエルの中に組入れ総入れ替え又交換出来る方式。
（ニ）両方式とも交換する場合、各カ−トリッジの固定及び走行ローラー固定治具シヤフト等を脱着後本体シエルを左右にオープンし取替える構造とする。
（ホ）除去と収納するカ−トリッジの交換の場合、除去カ−トリッジ先端材をキャタビラーの入口部分に差し込み電動スイッチにより、下部キャタビラーを経由して、収納カ−トリッジに自動巻き上げ出来る構造とする。
（ヘ）除去カ−トリッジと収納カ−トリッジは歯車で、掃除走行ローラー同志は、サスペンション付ベルトにて  伝達する構造とする。又各歯車の安定性と逆回転防止の為に本体シエル側に歯型を刻みさらにたるみと逆回転防止の為に各シャフト、固定治具に防止バネを装着する構造とする。
（ト）収納カ−トリッジとキャタビラー付下部掃除走行ローラーはベルトにて伝達動作するが、本体シエルに外付け取付け方式として、脱着が出来る構造とする。
（チ）本体シエルに外付けとして、左右に操縦桿を設置する。この装置は、本体が伸縮出来下部を走行ローラー固定治具に取付けして、角度自由として、互いに連結する又電池収納部、家庭用コンセント器具を設置、上部は計器類の掲示を設置する構造とする。
（リ）当掃除機の規模に応じて本体シエル下部に機具運送用キャスター（収納出来る方式）又掃除走行ローラー前面に消毒等散布噴霧器具、空気吸引送風等の装置を兼備することも可能とする。
（ヌ）本体シエル、各カ−トリッジ、下部掃除走行ローラー、歯車、ベルト、クランク、シャフト、サスペンション、キャタビラー、操縦桿、たるみ防止バネ、キャスター、外付けシエル等の物体の形状、大きさ、重さ、構造、材質、色彩等これらについては限定しない。
【発明の詳細な説明】
【技術分野】
【０００１】この発明は、ゴミの除去と収納を一体化した収去装置である。
【背景技術】
【０００２】従来ゴミをコロコロ器具で除去する方法はありました。
【発明が解決しようとする課題】
【０００３】これは次のような欠点があった。
ゴミは除去できるが、何回かロールしたら、次のテープを手作業でセットしなければならず、本発明はこれらの欠点をなくす為及び意図を補う為に家庭用から業務用まで又清掃面の仕上げ種類用途に対応してなされた掃除機具である。
【課題を解決するための手段】
【０００４】ゴミを除去する為ロール化された材をキャタビラー付ローラーにて、加圧して除去後、この使用済材を順次同シエル内のカ−トリッジに取り込む方式とされた一体式収去掃除機である。
【発明の効果】
【０００５】ゴミ除去と収納が同時に収去出来る為従来のものに比べ除去清掃部の手作業が省け、手間を必要とせず即対応出来るようになった。
【発明を実地するための最良の形態】
【０００６】以下。本発明を実地するための最良の形態について説明する。
ゴミ除去する為カ−トリッジ（２）から提供されたゴミ除去材（２６）が清掃受固定治具（２５）を経由して、キャタビラー（５）付走行ローラー（４）にて清掃され、この使用済材を清掃済材固定治具（２４）を介して、収納カ−トリッジ（３）に巻き上げ格納する一体式構造とする。カ−トリッジの歯車は進行方向に対して、反時計回りに回転しこれは人力、電力等を原動力として、歯車、ベルト、クランク等にて伝達走行するものとする。又本体シエル（１）を挟み込む形で、外側に操縦桿（８）を設置する。
【図面の簡単な説明】
【０００７】
【図１】本発明の正面図である。
【図２】本発明の側面図である。
【符号の説明】
【０００８】１    本体シエル
２    カ−トリッジ  （除去する材）
３    カ−トリッジ  （収納済材）
４    走行ローラー
５    キャタビラー
６    清掃材受固定治具とシャフト
７    清掃済材固定治具とシャフト
８    移動用操縦桿
９    噴霧器具
１０  移動用キャスター
１１  走行ローラーベルト（サスペンション付）
１２  除去カ−トリッジ歯車
１３  収納カ−トリッジ歯車
１４  外付けベルト
１５  外付けベルト固定治具とシャフト
１６  除去カ−トリッジ歯型
１７  収納カ−トリッジ歯型
１８  たるみ防止バネ付固定治具（除去する材）
１９  たるみ防止バネ付固定治具（収納済材）
２０  掃除走行ローラー固定治具とシャフト（移動用操縦桿固定）
２１  移動用操縦桿伸縮器具
２２  電池収納部、家庭用コンセント器具
２３  スイッチ等器具
２４  清掃材受固定治具
２５  清掃済材固定治具
２６  ゴミ除去材
【図１】
2013094650.tif 000003
【図２】
2013094650.tif 000004
(57)【要約】【課題】ベッドの上の掛布団が落下して困る。特に乳幼児の場合は保護者が一晩中注意して掛け直さなければならないので、熟睡ができなくなり、ストレスがたまる。入院中は寝ていて体を動かすと同時に掛布団も動くことになるため、プライバシーが保てなくなりゆっくりと療養できない。【解決手段】一枚の大きな掛布団に伸縮ベルトを縦横につけたことを特徴とする掛布団。【選択図】図１
2013094641.tif 000002
【特許請求の範囲】
【請求項１】
一枚の大きな掛布団に伸縮ベルトを縦横に縫いつけたことを特徴とする掛布団。
【発明の詳細な説明】
【技術分野】
【０００１】本発明は一枚の大きな布に横縦複数本のベルトを縫いつけて、ベッドの柵に取り付けることを特徴とする掛け布団に関するものである
【背景技術】
【０００２】一枚の単なる四角い掛布団であつた。
【発明の概要】
【発明が解決しようとする課題】
【０００３】ベッド上の掛布団が落下して困る。特に乳幼児の場合は保護者が一晩中注意して掛けなおさなければならないので、熟睡ができなくなりストレスがたまる。
入院等の場合、医者の往診の時、パジャマ、寝間着等では決局体の前をはだけてしまう。おむつ交換の場合でも下半身全部をぬがしてしまう。患者自身が立膝、足をくむなど行儀のわるい寝方をしているときに掛布団がよじれてしまう。このような場面にでくわすと、患者としてはとても恥ずかしくて嫌なものであり、第三者としては目のやり場に困ってしまう。みてみぬふりをするために部屋中が重苦しい雰囲気になってしまうのでリラックスして眠れなかった。本発明は以上の問題点を解決するためになされたものである。
【課題を解決するための手段】
【０００４】一枚の大きな布に伸縮ベルトを縦横に縫いつけた全身を覆う大きな掛布団である。
【発明の効果】
【０００５】下記のようにすれば、医者の診察時には診察する部位に応じてベルトをはずしていけば人目を気にすることも少なくなりプライバシーを保てる。
胸部から上の時は６をめくればよい。
体の右側の時は［図１］の２１、２２、３１、３２を外せばよい。
体の左側の時は［図１］の２３、２４、３３、３４を外せばよい。
腹部の時はギャザーがとつてあるため布にゆとりがあるので医者の立ち位置で必要に  応じて体の左右、胸、足元を外せばよい。
おしめを替える時は［図１］の４１、４２、５１、５２の片方または両方外して、交換すればよい。
立膝や足を組んだ場合は、ギャザ−がたっぷりと有る上にベッドに固定しているのでそのまま足を立てても動いても掛布団の中に納まることになり人目を気にすることもなく療養に専念できる。また幼児が動いても掛布団が落ちる事もなくなり保護者はストレスがなくなる。夏の暑いときにはベルトの一部分でも、全部でも柵の横桟上部に掛ければ掛布団が浮くので涼しくなる。冬の寒いときは柵の下に掛ければ体に密着してあたたかくなる。
季節に応じて掛布団を替えれば涼しくも暖かくもなる。
【図面の簡単な説明】
【０００６】
【図１】  本発明の使用状態を示す図
【図２】  本発明の使用状態を示す斜視図
【発明を実施するための形態】
【０００７】一枚の大きな掛布団に伸縮ベルトを縦横に縫いつけた全身を覆うことができるギャザーのある掛布団Ｉである。
掛布団１に取付ける伸縮ベルト２は体の胸部辺りに、伸縮ベルト３は足のふくらはぎのほぼ真ん中あたりに縫いつける。
【０００８】伸縮ベルト２，３の先端はベッド両サイドの柵に絡ませて固定できるように長くしておき、先端には面ファスナー２１、２２、２３、２４および３１、３２、３３、３４を設ける。
【０００９】縦に取付ける伸縮ベルト４、５は横に縫いつけた伸縮ベルト２よりも下方に、掛布団の中心を対称にして縫いつける。このとき、両伸縮ベルトの間隔は３５ｃｍ〜４０ｃｍ程度を確保していることが好ましい。また、伸縮ベルト２、３と同様に先端はベッド両サイドの柵に絡ませて固定できるように長くしておき、先端には面ファスナー４１、４２および５１、５２を設ける。
【００１０】このとき、伸縮ベルト２，３、４，５の縫い付け部は掛布団布の大きさに応じて１０ｃｍ〜３０ｃｍくらい手前まで縫いつけるものとする。伸縮ベルトを縫いつけた結果として掛布団全体にギャザーをとったことになる。
以上の構成よりなる掛布団である。
【００１１】本発明を使用するときは、ベッド上に掛布団を広げて、伸縮ベルトの先端をベッド柵に絡ませて面ファスナーで固定する。そのままもぐりこんでもいいが、伸縮ベルト２の面ファスナー２１，２２を外して、寝た後にもう一度面ファスナーを引っ付けてもよい。これで、睡眠不足からくるストレスからも解放され、プライバシーも保つことができる。
【符号の説明】
【００１２】１  掛布団
２，３，４，５  伸縮ベルト
６，７，８，９，１０，１１，１２  伸縮ベルトを縫いつけることにより一枚の掛布団が区切られてなおかつギャザーがとれている部分。
２１，２２，２３，２４  面ファスナー
３１，３２，３３，３４  面ファスナー
４１，４２  面ファスナー
５１，５２  面ファスナー
２５，３５，４３，５３  縫い付け部
【図１】
2013094641.tif 000003
【図２】
2013094641.tif 000004
(57)【要約】【課題】従来の技術によれば紙製品はその都度使い捨てで資源の無駄使いを否めず、金属板及び金属ネット製品は、アク以外に料理具材を掬い、木製品は使用後の乾燥の悪さ、或いは臭い移り等、そして獣毛製品に於いてはアレルギーの誘発と特有の獣毛臭が有り、また、化学製品は劣化が早く衝撃に弱い。そして本発明者が先般特許取得した金属線状材を用いてのアク取り器具も、汁を吸い過ぎると云う課題が残った。そこで、本発明は万遍無くアクだけが取れ、且つ使用時及び使用後の煩しい手間が無く、製品劣化を起し難く且つ臭い付かず主要部のみの交換が可能なアク取り器具を提供することを課題とする。【解決手段】オープンセル構造を持つ発泡金属の平滑部分を剥離した金属固体をアク取り主要部として使用し、主要部のみの交換が可能な構造にしたことを特徴とするアク取り器具である。【選択図】図１
2013094643.tif 000002
【特許請求の範囲】
【請求項１】
オープンセル構造を持つ発泡金属の平滑部分を剥離した金属固体をアク取り主要部として使用し、主要部のみの交換が可能な構造にしたことを特徴とするアク取り器具。
【発明の詳細な説明】
【技術分野】
【０００１】  この発明は、調理時のアクを除去する事に関する。
【背景技術】
【０００２】  従来のアク取り等に用いる器具は、獣毛あるいは化学繊維及び紙・プラスチック及び木、或いは金属板及び金属ネット等を使用し、多岐に亘るが普及品は化学製品及び金属製品が主流である。
【先行技術文献】
【０００３】
【特許文献１】  １  公開番号：特許公開平８−２４１４８  ２  公開番号：実用新案公開平７−１６７４３  ３  公開番号：特許公開平９−２９９２５７  ４  公開番号：特許公開平１０−２３９７７  ５  公開番号：特許公開２００１−１０４１７２  ６  公開番号：特許公開２００２−２２３９６４  ７  公開番号：特許公開２００７−１４７７６  ８  公開番号：特許公開２００７−２２２５７７  ９  公開番号：特許公開２００７−２３６８８５  １０  公開番号：実用新案公開平７−２７４３４  １１  公開番号：特許公開平１１−２９９６６１  １２  公開番号：特許公開２００７−４４３２５  １３  公開番号：特許公開２００７−１５９８８９  １４  公開番号：特許公開２０１０−２８４４５４  １５  公開番号：特許公開２０１１−１７７４７０
【０００４】
【非特許文献１】  無し
【発明の開示】
【発明が解決しようとする課題】
【０００５】  然しながら、以上の技術によれば紙製品はその都度使い捨てで資源の無駄使いを否めず、金属板及び金属ネット製品は、アク以外に料理具材を掬い、木製品は使用後の乾燥の悪さ、或いは臭い移り等、そして獣毛製品に於いてはアレルギーの誘発と特有の獣毛臭が有り、また、化学製品は劣化が早く衝撃に弱い。そして本発明者が先般特許取得した金属線状材を用いてのアク取り器具も、汁を吸い過ぎると云う課題が残った。そこで、本発明は万遍無くアクだけが取れ、且つ使用時及び使用後の煩しい手間が無く、製品劣化を起し難く且つ臭いが付かず、主要部のみの交換が可能なアク取り器具を提供することを課題とする。
【課題を解決するための手段】
【０００６】  以上の課題を解決するために、様々な素材を研究したところ、アクは表面積の大きなものに付着し易い習性を発見し、前述課題を全て解決するものがオープンセル構造を持つ単独気泡体及び連続気泡体の発泡金属であった。即ち、発泡金属の構造はオープンセル構造とクローズドセル構造の２種類に分類されるが、クローズドセル構造は、開口部が塞がっており、当然に表面積はオープンセル構造より小さい。従って、オープンセル構造を持つ発泡金属の平滑部分を剥離した金属固体をアク取り主要部として使用し、主要部のみの交換が可能な構造にしたことを特徴とするアク取り器具である。
【発明の効果】
【０００７】    本発明によれば、隅々まで良くアクが取れ、且つ煮汁の吸い込みが少なく、また、使用後の清掃が簡便であり、そして主要部の劣化時は、簡単に交換ができる。
【発明を実施するための最良の形態】
【実施例１】
【０００８】  本発明の一実施形態を、図２と図３に示す。
アク取り器具の形状は、アク取り主要部（発泡金属）１を柄部２に接着されたバネ式押さえ部材３及び支持部材４で挟持して使用する。尚、押さえ部材３は想像線の如く可動する。
「他の実施形態」【０００９】図２及び図３の実施形態では、アク取り主要部をオープンセル構造の発泡金属としたが、現在各企業で開発中の発泡セラミックスのオープンセル構造の密度が安定化すれば、アク取り主要部に使用し同様の効果を得ると考える。
【産業上の利用可能性】
【０００１０】  既存の製品では前述した如く、紙製品はその都度使い捨てで資源の無駄使いを否めず、金属板及び金属ネット製品は、アク以外に料理具材を掬い、木製品は使用後の乾燥の悪さ、或いは臭い移り等、そして獣毛製品に於いてはアレルギーの誘発と特有の獣毛臭が有り、また、化学製品は劣化が早く衝撃に弱い。そして本発明者が先般特許取得した金属線状材を用いてのアク取り器具も、汁を吸い過ぎると云う課題が残った。そこで、本発明は万遍無くアクだけが取れ、且つ使用時及び使用後の煩しい手間が無く、製品劣化を起し難く且つ臭いも付かず、清掃及び管理も簡便とする主要発明課題をクリアする製品が本発明である。本発明は既存製品の不足を全て補う画期的なものである。
【図面の簡単な説明】
【０００１１】
【図１】本発明の一実施形態を示す斜視図である。
【図２】本発明の一実施形態を示す側面概要図である。
【図３】本発明の一実施形態を示す背面概要図である。
【符号の説明】
【００１２】１  アク取り主要部  ２  柄  ３  バネ式押さえ部材  ４  支持部材  ５  カシメピン
６  コイルバネ
【図１】
2013094643.tif 000003
【図２】
2013094643.tif 000004
【図３】
2013094643.tif 000005
(57)【要約】【課題】テーピングという医療行為をする際、テープを患者の患部に応じてカットする必要がある。その際、テープが剥がれ難くなる様にする目的で、テープの四隅の角を丸くカットする事が必要となる。テープを患部に応じて大きくカットするという直線的カットと、テープの四隅を丸くカットする曲線的カット行為が発生する。その２つの異なるカット行為を１つのハサミで効率よく出来る事を提案する。【解決手段】ハサミの刃の部分について、刃先側の前約半分を直線形状の刃とし、根元側約半分の一部もしくは根元側約半分を曲線形状の刃とする事を特徴とする。【選択図】図１
2013094644.tif 000002
【特許請求の範囲】
【請求項１】
ハサミの刃の部分において、刃先から約半分の部分の形状は直線とし、２枚の刃が交わる支点側方向に残された約半分の刃の形状をカーブ状にする。この形状により、１つのハサミで直線カットと曲面カットが可能となる。この形状により、角部分を丸くカットした四角形体が容易に作成出来る。
【発明の詳細な説明】
【技術分野】
【０００１】  本発明は医療行為であるテーピングの際に、テープを患者に応じて適正に且つテープを剥がれ難くする形状にカットするテーピング用ハサミに関する。
【背景技術】
【０００２】  テーピングは患者の身体の大きさや、患部の位置、痛みの具合などにより、既製品のテープをカットして使用する。テープをカットする際、テープを患部から剥がれ難くする目的で、テープの四つ角を丸くカットしなければならない。その一連の動作に時間と手間がかかっている。
【発明の開示】
【発明が解決しようとする課題】
【０００３】  そこで、この発明は、テープを必要なサイズにカットする際には、直線カットが出来る前半分の刃を使用し、四つ角を丸くカットする際には、同じハサミの後ろ半分に曲面加工された刃の部分を使用し、四隅をカットして角を丸くする。
【課題を解決するための手段】
【０００４】  ハサミの刃の部分を、刃先側半分を直線の刃の形に、後ろ半分の部分を曲線の刃の形にする。
【発明の効果】
【０００５】この発明によると、テーピング行為の際、既製品のテープを刃先側前半分の直線カット用の刃で必要なサイズや形状にカットし、後ろ部分にある曲線カット刃部分で、カットしたテープの四隅を丸くカット出来る。この事により、１本のハサミで効率よくテープングという医療行為が可能となる。
【発明を実施するための最良の形態】
【０００６】  以下、本発明を実施するための最良の形態について説明する。
刃先側の前半分の刃の部分を直線形状とし、根元側の後ろ半分の刃を曲線形状とする。
【実施例】
【０００７】  次にこの発明を図面に基づいて詳述すると、刃先側の約前半分の刃は直線加工（１）。
根元側約半分の刃の一部、もしくは根元側約半分を曲線加工する（２）。
【産業上の利用可能性】
【０００８】  この発明のテーピング用ハサミの技術を確立し、実施、販売することにより、産業上の利用可能性がある。
【図面の簡単な説明】
【０００９】
【図１】テーピング用ハサミを真上から見た図である。
【図２】テーピング用ハサミを斜め上から見た図である。
【符号の説明】
【００１０】１  直線カットが出来る刃の部分
２  曲線カットが出来る刃の部分
３  ハサミの支点
４  ハサミの柄部分
【図１】
2013094644.tif 000003
【図２】
2013094644.tif 000004
(57)【要約】      （修正有）【課題】料理の過程で置き場所をとらない起立する御玉杓子を提供する。【解決手段】御玉杓子の本体の内側に凹み部３と裏底部４の先端部に平ら面２を設けたことを特徴とする起立する御玉杓子。【選択図】図１
2013094645.tif 000002
【特許請求の範囲】
【請求項１】
御玉杓子の本体（１）の内側に凹み部（３）と裏底部（４）の先端部に平ら面（２）を設けたことを特徴とする起立する御玉杓子。
【発明の詳細な説明】
【技術分野】
【０００１】  本発明は、本体の内側に凹み部と裏底部の先端部に平ら面を設け起立させる御玉杓子に関するものである。
【背景技術】
【０００２】  従来、御玉杓子は柄の長い握り部の先の半円形の凹み部で煮炊きしたものをすくい取る器具であることは知られている。
【発明の概要】
【発明が解決しようとする課題】
【０００３】  従来の御玉杓子は次のような問題点があった。
（イ）料理の過程で御玉杓子からたれる煮汁で焜炉、流し台が汚れることもある。
（ロ）御玉杓子のたれ汁で汚すまいと皿の上に置いても横になる柄の長さは置き場所をとる。
（ハ）御玉杓子の底が丸いので置くと倒れてしまい置き場所が難しい。
本発明は、以上の問題点を解決するために発明されたものである。
【課題を解決するための手段】
【０００４】  御玉杓子の本体（１）の内側に凹み部（３）と裏底部（４）の先端部に平ら面（２）を設ける。
以上のように構成された起立する御玉杓子。
【発明の効果】
【０００５】  本発明は、煮炊きしたものをすくい取る器具である。
握り部を手に持って、平ら面を皿の上に置くと起立する御玉杓子である。
皿の上に起立する御玉杓子のたれ汁は皿の中に落ちるので焜炉、流し台は汚れない。
起立する御玉杓子は、料理中に使用しない時は皿の上に起立するので置き場所をとらない。
【図面の簡単な説明】
【０００６】
【図１】  本発明の斜視図
【図２】  本発明の一部断面側面図
【発明を実施するためを形にした】
【０００７】  以下、本発明の実施の形態を説明する。
御玉杓子の本体（１）の内側に凹み部（３）と裏底部（４）の先端部に平ら面（２）を設ける。
本発明は以上のような構造である。
これを使用するときは握り部（５）を手に持って本体（１）の内側の凹み部（３）で煮炊きしたものをすくい取る器具である。
料理の過程で御玉杓子を使用しない時は握り部（５）を手に持って本体（１）の内側に凹み部（３）と裏底部（４）の先端部に設けた平ら面（２）を皿の上に置くと起立する御玉杓子である。
【符号の説明】
【０００８】  １  本体
２  平ら面
３  凹み部
４  裏底部
５  握り部
【図１】
2013094645.tif 000003
【図２】
2013094645.tif 000004
(57)【要約】      （修正有）【課題】入れ歯や、歯に自信の無い人でも、容易に皮ごと食べられるようにした、皮を剥かないピーラーセットを提供する。【解決手段】取っ手１に、丸い刃数枚２と、丸い板数枚３と安全ガード４を付けた、皮を剥かないピーラーと、取っ手１に、２枚の挟む板２と、スプリング３で固定した果物を挟む用具の、皮を剥かないピーラーセットを特徴とする。【選択図】図１
2013094642.tif 000002
【特許請求の範囲】
【請求項１】
取っ手（１）に、丸い刃数枚（２）と、丸い板数枚（３）と安全ガード（４）を付けた、皮を剥かないピーラー（１〜２ｍｍ、中に切れ目を入れられる）。
取っ手（５）に、２枚の挟む板（６）と、スプリング（７）で固定した、安全のための果物を挟む用具、皮を剥かないピーラーセット。
【発明の詳細な説明】
【技術分野】
【０００１】  この発明は、リンゴ、梨、桃など、一番美味しくて栄養のある皮の部分を、１〜２ｍｍ位中に切れ目を入れることで、食べやすくする用具である。
【背景技術】
【０００２】  従来、皮を剥かない用具は無かった。
【先行技術文献】
【特許文献】
【０００３】
【発明の概要】
【発明が解決しようとする課題】
【０００４】  これは、次のような欠点があった。
従来、皮が付いていると、食べづらいので、皮を剥いて食べるのが普通であった。
美味しくて栄養のある皮の部分を捨てていた。
本発明は、以上のような欠点を無くす為に、なされたものである。
【課題を解決する為の手段】
【０００５】  （皮を剥かないピーラー）、取っ手（１）に、丸い刃（２）を、数枚取り付ける。
刃よりも小さめの丸い板（３）を、同じ間隔で取り付ける、安全の為ガード（４）を取り付ける。
（果物を挟む用具）、取っ手（５）に２枚の挟む板（６）を取り付け、スプリング（７）で固定し、２枚の板が開閉する。
本発明は、以上の構成よりなる、皮を剥かないピーラーセットである。
【発明の効果】
【０００６】  入れ歯や、歯に自信が無い人でも、容易に皮ごと食べられる。
栄養価が高い、美味しい部分を食べやすくする。ゴミが少なくなる。
健康効果がある。
【図面の簡単な説明】
【０００７】
【図１】  本発明のピーラーの図である。
【図２】  本発明の果物を挟む用具である。
【発明を実施するための形態】
【０００８】  以下、本発明を実施するための形態について説明する。
取っ手（１）に丸い刃数枚（２）を、丸い板数枚（３）と、安全ガード（４）を付けた皮を剥かないピーラーと、取っ手（５）に、２枚の挟む板（６）と、スプリング（７）で固定した、安全の為の果物を挟む用具のセットである。
これを使用するときは、図２の果物を挟む用具で、リンゴなどを挟み、図１の皮を剥かないピーラーで、皮の部分を細かく十文字に、切れ目をいれれば良い。
【符号の説明】
【０００９】１．取っ手
２．丸い刃
３．丸い板
４．安全ガード
５．取っ手
６．２枚の挟む板
７．スプリング
【図１】
2013094642.tif 000003
【図２】
2013094642.tif 000004
(57)【要約】【課題】ベルトに備えられたフックに手荷物を掛けることによって両手又は片手が自由に使える様にすること。【解決手段】ベルトに通すベルト通し部材３とこのベルト通し部材３に保持されるフック１とこのフック１を覆うフック覆い部材５とから成るベルトフックをベルトに備えた。【選択図】図１
2013094658.tif 000002
【特許請求の範囲】
【請求項１】
ベルトに通すベルト通し部材とこのベルト通し部材に保持されるフックとこのフックを覆うフック覆い部材とから成るベルトフック。
【発明の詳細な説明】
【技術分野】
【０００１】本発明は腰に巻く腰ベルトやショルダーバッグの肩掛けベルト等のベルトに備えて、一時的に小荷物を掛けて保持しておくベルトフックに関するものである。
【背景技術】
【０００２】手を洗いたい場合などは手に持っている荷物を適当な場所に置いてから洗うが、荷物を置く清潔な場所がない場合は小脇に抱えるか、両足の間に挟むしか他に方法はないが、これでは不便であるし、荷物を落として汚してしまう事がある。
【発明の開示】
【発明が解決しようとする課題】
【０００３】本発明の目的は、腰ベルトや肩かけベルト等のベルトにフックを備え、これに手に持っている荷物を掛ける事によって両手又は片手が自由に使える様にするところにある。
【課題を解決する為の手段】
【０００４】本発明は上記目的を達成する為、ベルトに通すベルト通し部材とこのベルト通し部材に保持されるフックとこのフックを覆うフック覆い部材とから成るベルトフックをベルトに備える様にした。
【発明の効果】
【０００５】本発明によれば腰ベルトやショルダーバッグの肩掛けベルト等のベルトにフックを備えたので、手に持っている荷物をこのフックに掛ければ両手（又は片手）が空き、例えば手を綺麗に洗うことができる。この他、電話をかけたり、キャッシュカードで現金を引き出す時にも便利である。従って手に持っている荷物を小脇に抱えたり、両足の間に挟む必要がないので、便利であるし、荷物を落として汚す心配もない。
【発明を実施する為の形態】
【０００６】図１は本発明によるベルトフックを示し、先ず図１（イ）において本ベルトフックはベルトに通すベルト通し部材３（布製，皮革製など）と、このベルト通し部材３に保持されるフック１から成っている。このベルト通し部材３は図３（イ），（ロ）の様に、この中に腰ベルト，ショルダーハッグの肩掛けベルト等のベルトを通す為のもので、輪状になっており、面ファスナー４を外せばベルト通し部材３は１枚の布（皮革）の様になるから、ベルトの任意の位置から挿入することができる（挿入後は、面ファスナー４を結合させて輪状にする）。ベルト通し部材３を図２（ニ）の如く継ぎ目のない完全な輪状とした場合は、ベルトの端部から通す様にする。フック１はベルト通し部材３に保持されているが、フック１を保持する柔軟な結合部材２によりベルト通し部材３に結合しているから、フックはある程度の回転・傾斜は可能である。フック１は２本備えても良い。５はフック覆い部材で（布，皮革製など）、フック１を使用しない時は面ファスナー６，６′を結合させて、フック１を覆う様にする（フック１を使用する時は面ファスナー６，６′を外す）。フック覆い部材５を閉じた状態（面ファスナー６，６′を結合させた状態）を図２（イ），（ロ）に示すが、フック覆い部材５にリボン，バラの花などの装飾体７（例えば布製）を備えて外観を美麗化する事が望ましい。図３は以上のベルトフックの使用状態を示すもので、図１（イ）のベルト通し部材３を腰ベルトやショルダーバックの肩掛けベルトなどのベルトに通して装着してあり、フック１に荷物を掛けて手を洗う様にする。
使用後はフック覆い部材５を閉じてフック１を覆う様にしておく。図１（ロ）に示すベルトフックはベルト通し部材をプラスチック製としたもので（Ａ方向から見た図１（ハ）も参照）、ベルト通し部材３′（図１（イ）のベルト通し部材３に相当）はベルト通し部材３′ａと３′ｂとから成り、ベルト通し部材３′ａの下端部を引くと、変形してベルトに通し部材３′ｂとの間に間隙ができるので、この間隙を利用してベルトに通す様にする。フック１′は軸を中心に矢印Ｂの如く左右に回転可能で、フック１′を使用する時は図の状態から９０°回動させて起こし、これに荷物を掛ける。フック１′を使用しない時は元に戻して、コンパクトに収まる様にする。尚、図１（イ）と同様に図１（ニ）の如くフック覆い部材５′（プラスチック製）を備えても良い（フック覆い部材５′はヒンジにより開閉させる構造）。図１（ロ）のベルトフックにおいても美麗化する為、ベルト通し部材３′ｂを図２（ハ）の如くハート形にするなどの手段がある（この他、花の形，動物の形など）。
【０００７】図４（イ）はウエストバッグ８に直接フックを備えたもので、フック１０を使用しない時はフック覆い部材１１でフック１０を覆っておく。もちろん、フック１０はウエストバッグ８と一体となった腰ベルト９に直接備えても良い。図４（ロ）はショルダーバッグの肩掛けベルト１２に直接フック１０を備えたものである。
【図面の簡単な説明】
【０００８】
【図１】本発明によるベルトフックを示す図。
【図２】本発明によるベルトフックの各種実施例を示す図。
【図３】ベルトフックを装着した図。
【図４】ウエストバッグ，肩掛けベルトに直接フックを備えた図。
【符号の説明】１・１′・１０はフック，２は結合部材，３・３′はベルト通し部材，３′ａ・３′ｂはベルト通し部材，４・６・６′は面ファスナー，５・５′はフック覆い部材，７は装飾体，８はウエストバッグ，９は腰ベルト，１１はフック覆い部材である。１２は肩掛けベルトである。
【図１】
2013094658.tif 000003
【図２】
2013094658.tif 000004
【図３】
2013094658.tif 000005
【図４】
2013094658.tif 000006
(57)【要約】【課題】平坦部と溝部の清掃が主たるブラシの基台を傾けるだけで出来るようにした洗浄ブラシを提供する。【解決手段】所定大きさの平坦部洗浄用の第１ブラシ部（１）の長手方向一端部側に溝部洗浄用の第２ブラシ部（２）を一体に形成してブラシ基台を傾けることで平坦部と溝部内の洗浄が出来るようにした洗浄ブラシ。【選択図】図２
2013094655.tif 000002
【特許請求の範囲】
【請求項１】
平坦部洗浄用の第１ブラシ部（１）と溝部洗浄用の第２ブラシ部（２）によって構成した洗浄ブラシにおいて、詳しくは、第１ブラシ部（１）の基台を傾けることで溝部内の洗浄が出来るようにした洗浄ブラシであって、植毛台（３）の下面に平坦部用ブラシ毛（４）が植設されている所定大きさの第１ブラシ部（１）の長手方向端部側に植毛台（５）の下面に溝部用ブラシ毛（６）が植設されている第２ブラシ部（２）が植毛台（３）を含む基台に対して斜め上方向に形成してブラシ体を構成していることを特徴とする洗浄ブラシ。
【請求項２】
前記第２ブラシ部（２）は植毛台（５）とブラシ毛（６）で構成し、該ブラシ毛（６）は植設部が一列又は複数で構成し、ブラシの外観は先端部にテーパ状を形成してブラシ毛束を列状で構成していることを特徴とする請求項１記載の洗浄ブラシ
【発明の詳細な説明】
【技術分野】
【０００１】  本発明は、平坦部用清掃ブラシの基台を傾けるだけでキャタピラ形風呂蓋の溝部やサッシ枠の清掃が簡単に出来るようにした洗浄ブラシに関する。
【背景技術】
【０００２】  風呂場の清掃に使用される洗浄ブラシは、握り柄の先端にたわし状やスポンジまたは植毛ブラシ状の清掃部を取り付けた形態のものと、握り柄のない形態のたわし状や植毛ブラシ状としたもの等種々のものが市場に出回っている【０００３】  他方、風呂場の、主として、巻き取り可能に形成されたキャタピラ形風呂蓋を清掃するのに適した構造とした風呂蓋の清掃用ブラシについても、特許文献１に見られるように、既に提案されている。
【特許文献１】特開２００３−３３２８７号公報
【０００４】  しかしながら、上述した従来の清掃用ブラシにあっては、短尺部と長尺部を設けた風呂蓋専用の洗浄ブラシはサッシ枠等の溝部や平坦部の洗浄に使用できないといった問題があった。
【発明の概要】
【発明が解決しようとする課題】
【０００５】  本発明は、上記の問題点を解決するためになされたもので、従来の平坦部洗浄用ブラシを主として構成したブラシ体の一端部に溝部洗浄用ブラシ毛を植設したブラシ部を一体に形成して問題を解決しようとするものである。
【課題を解決するための手段】
【０００６】  植毛台（３）の下面に平坦部用ブラシ毛（４）が植設されている所定大きさの第１ブラシ部（１）の長手方向端部側に植毛台（５）の下面に溝部用ブラシ毛（６）が植設されている第２ブラシ部（２）が植毛台（３）を含む第１ブラシ部基台に対して斜め上方向に形成してブラシ体を構成して問題を解決しようとするものである。【０００７】  前記第２ブラシ部（２）は植毛台（５）とブラシ毛（６）で構成し、該ブラシ毛（６）のブラシ植設部は一列又は複数で構成し、ブラシ毛（６）の外観は先端部にテーパ状を形成してブラシ毛束を列状で構成していることを特徴とする請求項１記載の洗浄ブラシ
【発明の効果】
【０００８】  本発明の洗浄ブラシは平坦部用洗浄ブラシの一端側に溝部洗浄用ブラシを形成していることから、平坦部と溝部の洗浄がブラシを取り換えることなく同一の動作で簡単に出来るのでキャタピラ形風呂蓋やサッシ枠の溝部だけでなく浴室内の凹凸面などの清掃に融通性の利く使い方が出来るようになる。
【図面の簡単な説明】
【０００９】
【図１】本発明の外観斜視図
【図２】本発明の実施形態を示す外観斜視図
【図３】本発明の第１例を示した第２ブラシ部底面図と断面図
【図４】本発明の第２例を示した第２ブラシ部底面図と断面図
【発明を実施するための形態】
【００１０】  本発明の実施形態について具体的な詳細について説明する。
【００１１】  図１は本発明の外観斜視図である。ブラシ体に握り部を形成しない場合の外観斜視図である。
【００１２】  図２は本発明の実施形態を示す外観斜視図である。キャタピラ形風呂蓋の溝部内の清掃時にブラシ基台を傾けた場合の実施形態を示す外観斜視図である。
【００１３】  図３は本発明の第１例を示した第２ブラシ部底面図と断面図である。ブラシの植設部を一列で構成し、ブラシ毛束をテーパ状に形成した場合の図である。
【００１４】  図４は本発明の第２例を示した第２ブラシ部底面図と断面図である。ブラシの植設部を複数列で構成し、複数のブラシ毛が全体でテーパ状に構成した場合の図である。
【００１５】１  第１ブラシ部
２  第２ブラシ部
３  植毛台
４  ブラシ毛
５  植毛台
５ａ  植設部
６  ブラシ毛
６ａ  テーパ部
Ａ  キャタピラ形風呂蓋
Ｂ  風呂蓋溝部
【図１】
2013094655.tif 000003
【図２】
2013094655.tif 000004
【図３】
2013094655.tif 000005
【図４】
2013094655.tif 000006
(57)【要約】【課題】  使用済ペットボトルを衣料用ハンガーのショルダーライン保持パーツとしてリュースし、キャップ付、キャップ無しに関わらず、また、ネジ部に関係なくペットボトルが挟持出来るハンガー用ペットボトル取付けパーツを提供するものである。【解決手段】衣類用ハンガーパーツはフック部とハンガー本体と２個のペットボトル挟持パーツで構成される。ペットボトル挟持パーツはペットボトルの首部を挟み込む。これによりペットボトルのキャップの有無、ネジ形状に関係なくハンガー本体に装着出来、衣料用ハンガーのショルダーライン保持パーツとして形成できる。【選択図】図１
2013094656.tif 000002
【特許請求の範囲】
【請求項１】
フック部とハンガー本体と２個のペットボトル挟持パーツで構成される。ペットボトル挟持パーツはペットボトルの首部を挟み込む為、キャップ付、キャップ無しに関わらず、また、ネジ部に関係なくペットボトルが挟持出来ることを特徴とする衣料用ハンガーパーツ。
【請求項２】
樹脂バネの力を利用したワンタッチで脱着できるペットボトル挟持パーツを有する。
【発明の詳細な説明】
【技術分野】
【０００１】  本発明は、使用済みペットボトルを左右に装着し、衣料用ハンガーとして使えるように工夫したハンガー用ペットボトル取付けパーツに関するものである。
【背景技術】
【０００２】  従来、樹脂製の衣料用ハンガーは一体成型されたものが主流であり、形状、機能に関しては各社多種多様である。また、ショルダーラインの形状を保持するパーツを取り付けたハンガーも多数商品化されている。また、ペットボトルのフタと同サイズのネジ部を設けネジ式にペットボトルをはめ込む商品が見受けられる。
【先行技術文献】
【特許文献】
【０００３】
【特許文献１】  特開２０００−３３３８１４号  公報
【発明の概要】
【発明が解決しようとする課題】
【０００４】  樹脂製の一体成型されたハンガーはコンパクトではなく非常に嵩張る。また、ショルダーライン保持パーツを取り付けた商品はコストが高く付き、尚かつ物流コストにも大きな影響がでる。ペットボトルにおいては自動販売機で簡単に手に入れられるのだが、家庭で消費した後、洗浄してリサイクル回収に回すまでの間、潰さない限り非常に嵩張るものである事が問題である。また、国内飲料メーカー製造ペットボトルのフタのネジ部は、ほぼ同一規格ではあるものの各メーカーでの、多少のばらつきはある。輸入の飲料水などに関してはフタ部の規格が異なり、ネジ式固定は困難である。
【課題を解決するための手段】
【０００５】  前記目的を解決する為、本発明の衣類用ハンガーパーツはフック部とハンガー本体と２個のペットボトル挟持パーツで構成される。ペットボトル挟持パーツはペットボトルの首部を挟み込む為、キャップ付、キャップ無しに関わらず、また、ネジ部に関係なくペットボトルが挟持出来る。家庭で嵩張っていたペットボトルを利用出来るのと、衣類用ハンガーとして一番嵩張るショルダーラインをペットボトルのリサイクルで代用出来るため、製造コスト並びに物流コストを抑える事が可能である。
【発明の効果】
【０００６】    上述したように、本発明はペットボトルの首部を挟み込む為、キャップ付、キャップ無しに関わらず、また、ネジ部に関係なくペットボトルが挟持出来る。
【図面の簡単な説明】
【０００７】
【図１】ハンガー用パーツの正面図である。
【図２】図１の側面図である。
【図３】ペットボトル挟持パーツの正面図である。
【図４】図３の左側面図である。
【図５】図３の平面図である。
【図６】組み立て状態を示す正面図である。
【発明を実施するための形態】
【０００７】以下、本発明の実施の形態を図１〜図６に基づいて説明する。
【０００８】先ず、図３のペットボトル挟持パーツはペットボトル首部挟持用リング７（以下リング）を保有しており、リング中央を底面としてＵ型形状となっている。挟持パーツロック突起６（以下ロック用突起）を持って左右に広げると、ペットボトルの首部が入る空間が開き、そこにペットボトルの首部を固定させると本体に取り付けられる状態となる。ロック用突起６を図１の挟持パーツロック穴３（以下ロック穴）に取付けるのであるが、本体２の裏面にはロック用突起６をガイドするリブが準備されており容易にスライドさせる事が可能である。スライドしたロック用突起は本体２の裏面では縮まっているが、ロック穴３に到着すると樹脂バネの力で広がりロック穴３に固定される。２本のペットボトルが固定された状態が図６である。
【符号の説明】
【０００９】１    本体フック
２    本体
３    挟持パーツ用ロック穴
４    挟持パーツ
５    使用済みペットボトル
６    挟持パーツロック用突起
７    ペットボトル首部挟持用リング
【図１】
2013094656.tif 000003
【図２】
2013094656.tif 000004
【図３】
2013094656.tif 000005
【図４】
2013094656.tif 000006
【図５】
2013094656.tif 000007
【図６】
2013094656.tif 000008
(57)【要約】【課題】小さな子どもは色を使って絵を描いている際、色を変える度にクレヨンやクーピーをケースにしまうという事が出来ない子でも、机の上に投げ出しているうちに床に落としたり、外出時に失くしたりする心配のないお絵描き用具を提供する。【解決手段】小さな子がクレヨンやクーピーで絵を描いている際、ケースにしまわなくてもバラバラにならず、床に落ちる心配がないように、クレヨンやクーピーに紐を通して、紐輪で整然と繋止され、好みの色のクレヨンやクーピーを自由に使い分けしながらお絵書きやアクセサリー遊びができるようになっており、紐輪の留め具は磁石式で少し強い力で引っ張られると、首が絞まったりする前に容易に外れるので危険性もないことを特徴とするお絵描きネックレス。【選択図】図１
2013094654.tif 000002
【特許請求の範囲】
【請求項１】
様々な色の異なる複数本のクレヨンやクーピーの握り部に小さな紐通し孔を設け、その紐通し孔に繋止紐を通し、繋止紐の両端に留め具を設け、留め具はクレヨンやクーピーが繋止紐から抜け落ちないための玉止め部と、玉止め部の紐結合側と反対側に設けた磁石部とから成り、磁石部が相向かい合わせに磁着結合して繋止紐を自由な略環状に形成し、幼児はこの略環状の繋止紐を首にかけて遊ぶのであるが、磁石の磁力は、遊んでいる時不意に誤って繋止紐が引っ張られて首が絞まったりする前に磁着結合が容易に外れる程度の強さであり、留め具自体は繋止紐から外せるようになっているので、クレヨンやクーピーの色種を取り換えたり、本数を増やしたりも自由にできることを特徴とするお絵描きネックレス。
【発明の詳細な説明】
【技術分野】
【０００１】  本発明は幼児のお遊び用筆記具に関するものである。
【背景技術】
【０００２】  従来、クレヨンやクーピーはケースに入っていて使うたびにケースから出し、別の色を使う際は前の色をケースに戻して、新しい色を取り出すといった順に使うのが一般的であった。また、筆記具のキャップの長さ調節の紐を付けたもの（特許文献１参照）やクリップ付き筆記具のクリップに紐吊り下げ部を設けた先行技術（特許文献２参照）等が知られている。
【先行技術文献】
【特許文献】
【０００３】
【特許文献１】特許公開２００４−３１４４８４号公報
【特許文献２】実用新案公開平７−１８８８６号公報
【発明概要】
【発明が解決しようとしている課題】
【０００４】  小さな子どもは絵を描いている際、色を変える度にケースにクレヨンやクーピーをしまうという事が出来ない子が多い。机の上に投げ出しているうちに床に落ち、外に持ち出した時には失くすことも多い。幼児にとっては、紐の長さ調節は厄介なだけであり、また単に首にかけても、クリップやキャップなどがあれば不便なだけで、筆記具そのものは散乱したり、紛失したりしやすい。
本発明は以上の問題点を解決するためになされたものである。
【課題を解決するための手段】
【０００５】    様々な色の異なる複数本のクレヨンやクーピーの握り部に小さな紐通し孔を設け、その紐通し孔に繋止紐を通し、繋止紐の両端に留め具を設け、留め具はクレヨンやクーピーが繋止紐から抜け落ちないための玉止め部と、玉止め部の紐結合側とは反対側に設けた磁石部とから成り、磁石部が相向かい合わせに磁着結合して繋止紐を自由な略環状に形成し、幼児はこの略環状の繋止紐を首にかけて遊ぶのであるが、磁石の磁力は、遊んでいる時不意に誤って繋止紐が引っ張られて首が絞まったりする前に磁着結合が容易に外れる程度の強さであり、留め具自体は繋止紐から外せるようになっているので、クレヨンやクーピーの色種を取り換えたり、本数を増やしたりも自由にできる。
以上を特徴とするお絵描きネックレスである。
【発明の効果】
【０００６】  小さな子がクレヨンやクーピーで絵を描いている際、ケースにしまわなくてもバラバラにならず、床に落ちる心配が回避される。又、穴に紐を通しているので使いたい色を手元に寄せ、使わない色は手元の反対側に寄せれば絵を描く際、邪魔にならない。紐に通すことにより、腕や首にかけられ、おもちゃのアクセサリーとしても使用できる。留め具は磁石によりくっついているので、幼児でも着脱しやすい構造である。装着時に誤って引っ張っても、首がしまったり腕がうっ血したりすることを避けられる。しかしながら、留め具自体を紐から取り外すことは幼児には難しい構造なので、クレヨンやクーピーが不用意にバラバラにならない。色を増やしたい時などは大人なら簡単に紐から外す事が出来る。
【図面の簡単な説明】
【０００７】
【図１】本発明の斜視図
【図２】本発明の一部であるクレヨン又はクーピーの紐通し孔に繋止紐を通してある状態を示す拡大図
【図３】本発明の一部である留め具の斜視図
【図４】本発明の一部である留め具の別の形態を表わす斜視図
【発明を実施するための形態】
【０００８】  様々な色の異なる複数本のクレヨンやクーピー（３）の握り部に小さな紐通し孔（４）を設け、その紐通し孔（４）に繋止紐（２）を通し、繋止紐（２）の両端に留め具（１ａ）を設け、留め具（１ａ）はクレヨンやクーピー（３）が繋止紐（２）から抜け落ちないための玉止め部（６ａ）と、玉止め部（６ａ）の紐結合側とは反対側に設けた磁石部（５）とから成り、磁石部（５）が相向かい合わせに磁着結合して繋止紐（２）を自由な略環状に形成し、幼児はこの略環状の繋止紐（２）を首にかけて遊ぶのであるが、磁石の磁力は、遊んでいる時不意に誤って繋止紐（２）が引っ張られて首が絞まったりする前に磁着結合が容易に外れる程度の強さであり、留め具（１ａ）自体は繋止紐（２）から外せるようになっているので、クレヨンやクーピー（３）の色種を取り換えたり、本数を増やしたりも自由にできる。尚、留め具（１ａ）の形状は、幼児が興味を持ちそうな様々な、例えば玉止め部（６ｂ）と磁石部（５）から成る留め具（１ｂ）のようなデザインが工夫されてもよい。
本発明は、以上のような構造である。
本発明を使用するときは、輪になった繋止紐（２）を首にかけ、クレヨン又はクーピー（３）の使いたい色を手元に手繰り寄せて絵を描いて遊ぶ。あるいは繋止紐（２）を首から外し、アクセサリーとして腕などに装着して遊んだりする。
【符号の説明】
【０００９】  １ａ  留め具、１ｂ  留め具、２  繋止紐、３  クーピーやクレヨン、４  紐通し孔、５  磁石部  ６ａ  玉止め部、６ｂ  玉止め部
【図１】
2013094654.tif 000003
【図２】
2013094654.tif 000004
【図３】
2013094654.tif 000005
【図４】
2013094654.tif 000006
(57)【要約】【課題】洗濯物をかわかす時に天候が雪の日、雨の日、強風のときなどに衣類をほすのに困るので空内でかわかすことが出来ないかと考えた。【解決手段】図１のように両壁にパネルをしっかりと布粘着テープではりつけ固定しそこへ引き伸ばすことの出来るパイプを引っ掛けそれに洗濯物をほす。又図３のように壁に２個のパネルを張り付け溝（みぞ）にパイプをとおして物干しざおのように洗濯物ほしたり引っ掛けたりする。図１、    １、２、３  材質  パイプ１・ステンレス（合金）図２      １、３、４        パネル３・プラスチック図３      １、３【特許請求の範囲】
【請求項１】
壁を傷つけない構造
【請求項２】
移動が簡単に出来る
【請求項３】
室内で洗濯物の乾燥が出来る構造
【請求項４】
単価が安く、場所をとらない
【請求項５】
持ち運びが簡単である
【請求項６】
使用しない時はたたんでどこかにしまっておける
【請求項７】
カテンレールとして間ぎりが出来る
【請求項８】
取っ手のような使用が出来る
【請求項９】
製品の量産が出来る
【請求項１０】
電気など使用しなくて良い
【発明の詳細な説明】
【技術分野】本発明は布粘着テープの粘着力を利用したものである
室内において図１のようにパネル１を両面の壁に布粘着テープでしっかりはりパネルを固定しそこにパイプ３を伸ばし洗濯ものを引っ掛ける
そしてかわかす、乾燥すると洗濯ものをはずしパイプをはずしへやの隅にしまっておく。又図３のように２個のパネル１を布粘着テープでしっかりと壁はりつけ２個のパネルにパイプを溝に通して固定しこれに衣服などを引っ掛ける、溝は半分上がない構造でもよい、又ネジで固定しても良い
【背景技術】従来の布粘着テープ物干し器はなかった
【図面の簡単な説明】
【図１】本発明の側面図である
【図２】本発明の部分図である
【図３】本発明の側面図である
【符号の説明】１  パネル
２  溝
３  パイプ
４  布粘着テープ
【図１】
2013094659.tif 000002
【図２】
2013094659.tif 000003
【図３】
2013094659.tif 000004